(57)【要約】【課題】駆動装置の取出しからカバー部材への挿入までの作業を簡便に行うことのできる医療用具を提供する。【解決手段】医療用具１０は、画像診断用カテーテルＤ１に使用される駆動装置Ｄ２を挿入するための袋状のカバー部材２０と、カバー部材の開口部２１付近に配置された第１接続部材３０と、駆動装置を保管する保管部Ｄ３に取り付けられるとともに、第１接続部材と接続分離が可能な第２接続部材４０と、を有する。【選択図】図２Ｂ
2019176989.tif 000002
【特許請求の範囲】
【請求項１】
画像診断用カテーテルに使用される駆動装置を挿入するための袋状のカバー部材と、
前記カバー部材の開口部付近に配置された第１接続部材と、
前記駆動装置を保管する保管部に設けられるとともに、前記第１接続部材と接続分離が可能な第２接続部材と、を有する医療用具。
【請求項２】
前記カバー部材は、使用前は、複数回折り返されたベローズ形状を備える、請求項１に記載の医療用具。
【請求項３】
前記第１接続部材は、前記カバー部材の開口部付近に少なくとも２つ設けられている、請求項１または請求項２に記載の医療用具。
【請求項４】
前記第１接続部材は、前記カバー部材の開口部付近に設けられた孔部を含み、
前記第２接続部材は、前記孔部を挿通可能なフックを含む、請求項１〜３のいずれか一項に記載の医療用具。
【請求項５】
前記第１接続部材は、前記カバー部材の開口部付近に設けられた凸部を含み、
前記第２接続部材は、前記凸部を挿入可能な孔部を含む、請求項１〜３のいずれか一項に記載の医療用具。
【請求項６】
前記第１接続部材は、前記カバー部材の開口部付近に設けられた環状部材を含み、
前記第２接続部材は、前記環状部材の孔部に挿入可能なフックを含む、請求項１〜３のいずれか一項に記載の医療用具。
【請求項７】
前記第１接続部材は、前記カバー部材の開口部付近に設けられたクリップを含み、
前記第２接続部材は、前記クリップが挟持可能な凸部を含む、請求項１〜３のいずれか一項に記載の医療用具。
【請求項８】
前記第１接続部材および前記第２接続部材は、磁力による吸着力によって互いに吸着可能な一対の吸着部材を含む、請求項１〜３のいずれか一項に記載の医療用具。
【発明の詳細な説明】
【技術分野】
【０００１】
本発明は、画像診断用カテーテルに使用される駆動装置のカバーを含む医療用具に関する。
【背景技術】
【０００２】
従来から、血管等の断層画像を得る画像診断用カテーテルとして、血管内超音波診断法（ＩＶＵＳ：Ｉｎｔｒａ  Ｖａｓｃｕｌａｒ  Ｕｌｔｒａ  Ｓｏｕｎｄ）や、光干渉断層診断法（ＯＣＴ：Ｏｐｔｉｃａｌ  Ｃｏｈｅｒｅｎｃｅ  Ｔｏｍｏｇｒａｐｈｙ）によって断層画像を得るカテーテルがある。
【０００３】
画像診断用カテーテルは、回転可能な長尺状の駆動シャフトと、駆動シャフトの先端部に設けられるとともに超音波や光等の検査波を送受信する送受信部と、駆動シャフトが進退移動可能に挿入されるシースと、を有している。画像診断用カテーテルは、使用時は、下記特許文献１に開示されているように、駆動装置に接続される。駆動装置によって、駆動シャフトを回転させつつ後退移動させる、いわゆるプルバック操作（中引き操作）や、駆動シャフトを先端側へ押し込む押込み操作が行われる。
【先行技術文献】
【特許文献】
【０００４】
【特許文献１】特開２０１６−１５４８０号公報
【発明の概要】
【発明が解決しようとする課題】
【０００５】
駆動装置は、上記特許文献１に記載されているとおり、減菌や滅菌等の処置が施されていない。そのため、駆動装置は、減菌や滅菌等の処置が施された袋状のカバー部材が被せられた状態で使用される。
【０００６】
駆動装置は、保管されている棚等から取り出された後、カバー部材に挿入される。このような駆動装置の取出しからカバー部材への挿入までの作業は、例えば、下記のように実施される。まず、不潔野の作業者が、棚等から駆動装置を取り出す。清潔野の作業者は、カバー部材の開口部を開いた状態で待機しており、カバー部材越しに不潔野の作業者から駆動装置を受け取る。このように、駆動装置の取出しからカバー部材への挿入までの作業は、清潔野の作業者および不潔野の作業者の二人で行われるため、作業が煩雑である。
【０００７】
そこで本発明は、駆動装置の取出しからカバー部材への挿入までの作業を簡便に行うことのできる医療用具を提供することを目的とする。
【課題を解決するための手段】
【０００８】
上記目的を達成する本発明に係る医療用具は、画像診断用カテーテルに使用される駆動装置を挿入するための袋状のカバー部材と、前記カバー部材の開口部付近に配置された第１接続部材と、前記駆動装置を保管する保管部に設けられるとともに、前記第１接続部材と接続分離が可能な第２接続部材と、を有する。
【発明の効果】
【０００９】
本発明に係る医療用具によれば、駆動装置が保管されている保管部に設けられている第２接続部材に、カバー部材の開口部付近に配置されている第１接続部材が接続される。そのため、作業者は、カバー部材が保管部に取り付けられている状態で、駆動装置を容易にカバー部材に挿入することができる。そのため、本発明に係る医療用具は、駆動装置の取出しからカバー部材への挿入までの作業を簡便に行うことができる。
【図面の簡単な説明】
【００１０】
【図１Ａ】本発明の実施形態に係る医療用具の備えるカバー部材を示す平面図である。
【図１Ｂ】図１Ａの１Ｂ−１Ｂ線に沿う断面図である。
【図２Ａ】本発明の実施形態に係る医療用具の備えるカバー部材を保管部に取り付けた様子を示す断面図である。
【図２Ｂ】本発明の実施形態に係る医療用具の備えるカバー部材に駆動装置の一部を挿入した様子を示す断面図である。
【図２Ｃ】本発明の実施形態に係る医療用具の備えるカバー部材に駆動装置の全てを挿入した様子を示す断面図である。
【図３】本発明の実施形態に係る医療用具の備えるカバー部材に挿入された状態で、駆動装置が画像診断用カテーテルに接続された様子を示す平面図である。
【図４Ａ】変形例１に係る医療用具を示す断面図である。
【図４Ｂ】変形例２に係る医療用具を示す断面図である。
【図４Ｃ】変形例３に係る医療用具を示す断面図である。
【図４Ｄ】変形例４に係る医療用具を示す断面図である。
【図４Ｅ】変形例５に係る医療用具を示す断面図である。
【図５】図１に示す医療用具の他の使用例を示す断面図である。
【発明を実施するための形態】
【００１１】
以下、添付した図面を参照しながら、本発明の実施形態およびその変形例を説明する。なお、以下の記載は特許請求の範囲に記載される技術的範囲や用語の意義を限定するものではない。また、図面の寸法比率は説明の都合上誇張されており、実際の比率とは異なる場合がある。
【００１２】
図１Ａおよび図１Ｂは、本発明の実施形態に係る医療用具１０の備えるカバー部材２０およびカバー部材２０に設けられる第１接続部材３０の説明に供する図である。図２Ａ〜図２Ｃは、本発明の実施形態に係る医療用具１０の備える第２接続部材４０の説明、および医療用具１０の説明に供する図である。なお、図１Ｂでは、カバー部材２０の奥側の外形線を省略している。また、駆動装置Ｄ２は、図３に例示するように、複雑な形状を備えているが、図２Ａ〜図２Ｃでは、概略的に長方形で示している。
【００１３】
医療用具１０は、図１Ａおよび図２Ａを参照して概説すると、画像診断用カテーテルＤ１に使用される駆動装置Ｄ２を挿入するための袋状のカバー部材２０と、カバー部材２０の開口部２１付近に配置された第１接続部材３０と、駆動装置Ｄ２を保管する保管部Ｄ３に設けられるとともに、第１接続部材３０と接続分離が可能な第２接続部材４０と、を有する。以下、医療用具１０の各部について詳述する。なお、以下の説明においては、保管部Ｄ３が、駆動装置Ｄ２を収容するラックによって構成されている場合を例に説明する。
【００１４】
（カバー部材）
カバー部材２０は、図２Ｃに示すように、本実施形態では、長手方向Ｘに延びる袋状の部材によって構成している。カバー部材２０は、図１Ｂに示すように、使用前は、複数回折り返されたベローズ形状（蛇腹形状）を備えている。
【００１５】
カバー部材２０は、長手方向Ｘの一端に開口部２１を備えている。カバー部材２０の長手方向Ｘの他端は、閉じている。駆動装置Ｄ２は、開口部２１を介してカバー部材２０に挿入される。
【００１６】
カバー部材２０の長手方向Ｘの全長Ｌ（引き延ばした状態での長手方向Ｘに沿う長さ、図２Ｃ参照）は、駆動装置Ｄ２の全体を挿入可能な長さ以上であることが好ましい。
【００１７】
カバー部材２０の長手方向Ｘの他端付近には、駆動装置Ｄ２と画像診断用カテーテルＤ１の基端部（ハブ）との連結部を覆うアダプター２２が設けられている。アダプター２２は、本実施形態では、円筒形状を備える。ただし、アダプター２２の形状は、駆動装置Ｄ２と画像診断用カテーテルＤ１の基端部（ハブ）との連結部を覆うことができる限り特に限定されない。
【００１８】
カバー部材２０には、減菌または滅菌処理が施されている。
【００１９】
カバー部材２０の構成材料は、可撓性を備える限り特に限定されない。そのような材料としては、特に限定されないが、例えば、ポリ塩化ビニル、ポリエチレン、ポリプロピレン、ポリブタジエン、エチレン−酢酸ビニル共重合体（ＥＶＡ）のようなポリオレフィン、ポリエチレンテレフタレート（ＰＥＴ）、ポリブチレンテレフタレート（ＰＢＴ）のようなポリエステル、ポリ塩化ビニリデン、あるいはこれらを任意に組み合わせたもの（ブレンド樹脂、ポリマーアロイ、積層体等）が挙げられる。
【００２０】
（第１接続部材）
第１接続部材３０は、本実施形態では、カバー部材２０の開口部２１付近に設けられた孔部３１によって構成している。第１接続部材３０は、本実施形態では、長手方向Ｘと交差する方向の両端部付近に、かつ、カバー部材２０の互い向かい合う一対の面の一方の面に、２つ設けられている。ただし、第１接続部材３０の数は、一以上であれば特に限定されない。また、第１接続部材３０を設ける位置は、カバー部材２０の開口部２１付近である限り特に限定されない。
【００２１】
（第２接続部材）
第２接続部材４０は、本実施形態では、第１接続部材３０の孔部３１を挿通可能なフック４１によって構成している。第２接続部材４０は、本実施形態では、保管部Ｄ３（ラック）の手前側の側面Ｄ３ａに２つ設けられている。ただし、第２接続部材４０の数は、一以上であれば特に限定されない。また、第２接続部材４０を設ける位置は、第１接続部材３０を第２接続部材４０に接続可能である限り特に限定されない。例えば、第２接続部材４０は、保管部Ｄ３（ラック）の手前側の内面に設けられていてもよい。
【００２２】
（使用方法）
次に、一人の清潔野の作業者が駆動装置の取出しからカバー部材への挿入までの作業を行う場合を例に、医療用具１０の使用方法を説明する。
【００２３】
まず、作業者は、図２Ａに示すように、カバー部材２０に設けられた第１接続部材３０を第２接続部材４０に接続する。この際、カバー部材２０は、複数回折り返されたベローズ形状を備えているため、カバー部材２０が床等の不潔野に接触するのを抑制できる。
【００２４】
次に、作業者は、図２Ｂに示すように、カバー部材２０越しに駆動装置Ｄ２を掴み、駆動装置Ｄ２を保管部Ｄ３から取り出す。カバー部材２０が保管部Ｄ３に取り付けられている状態であるため、作業者は、一人で、駆動装置Ｄ２を容易にカバー部材２０に挿入することができる。なお、この際、駆動装置Ｄ２は予め保管部Ｄ３の手前側の側面Ｄ３ａから突出していることが好ましい。これによって、より一層容易に駆動装置Ｄ２をカバー部材２０に挿入することができる。また、図２Ｂに示すように、駆動装置Ｄ２がカバー部材２０に挿入されるのに伴って、カバー部材２０の折り返しが徐々に解除されて、カバー部材２０は、長手方向Ｘに引き延ばされる。
【００２５】
図２Ｃに示すように、駆動装置Ｄ２の全体をカバー部材２０に挿入し終えた後、作業者は、第１接続部材３０および第２接続部材４０に触れないようにして、第１接続部材３０と第２接続部材の接続を解除する。
【００２６】
次に、作業者は、図３に示すようにカバー部材２０に挿入された状態の駆動装置Ｄ２を手術台（図示省略）等に配置し、画像診断用カテーテルＤ１の基端部を駆動装置Ｄ２に接続する。
【００２７】
以上、本実施形態に係る医療用具１０は、画像診断用カテーテルＤ１に使用される駆動装置Ｄ２を挿入するための袋状のカバー部材２０と、カバー部材２０の開口部２１付近に配置された第１接続部材３０と、駆動装置Ｄ２を保管する保管部Ｄ３に取り付けられるとともに、第１接続部材３０と接続分離が可能な第２接続部材４０と、を有する。
【００２８】
上記医療用具１０によれば、駆動装置Ｄ２が保管されている保管部Ｄ３に設けられている第２接続部材４０に、カバー部材２０の開口部２１付近に配置されている第１接続部材３０が接続される。そのため、作業者は、カバー部材２０が保管部Ｄ３に設けられている状態で、駆動装置Ｄ２を容易にカバー部材２０に挿入することができる。そのため、上記医療用具１０によれば、駆動装置Ｄ２の取出しからカバー部材２０への挿入までの作業を簡便に行うことができる。
【００２９】
また、カバー部材２０は、使用前は、複数回折り返されたベローズ形状を備える。そのため、作業者が第１接続部材３０を第２接続部材に接続する際に、カバー部材２０が床等の不潔野に接触するのを抑制できる。
【００３０】
また、第１接続部材３０は、カバー部材２０の開口部２１付近において、互いに離間した位置に少なくとも２つ設けられている。そのため、作業者は、駆動装置Ｄ２をカバー部材２０に容易に挿入できる。
【００３１】
また、第１接続部材３０は、カバー部材２０の開口部２１付近に設けられた孔部３１を含み、第２接続部材４０は、孔部３１に挿通可能なフック４１を含む。そのため、作業者は、第１接続部材３０と第２接続部材４０とを容易に接続分離できる。
【００３２】
（変形例）
図４Ａ〜図４Ｅは、変形例１〜５に係る医療用具１００、２００、３００、４００、５００の説明に供する図である。なお、上記実施形態と同様の構成については、同一の符号を付し、その説明を省略する。
【００３３】
変形例１に係る医療用具１００では、図４Ａに示すように、第１接続部材１３０は、前カバー部材２０の開口部２１付近に設けられた凸部１３１を含み、第２接続部材１４０は、凸部１３１を挿入可能な孔部１４１を含む。このように、保管部Ｄ３に加工を施すことによって、第１接続部材３０と第２接続部材４０の接続分離構造を実現してもよい。
【００３４】
変形例２に係る医療用具２００では、図４Ｂに示すように、第１接続部材２３０は、カバー部材２０の開口部２１付近に設けられた環状部材２３１を含み、第２接続部材２４０は、環状部材２３１の孔部に挿入可能なフック２４１を含む。このように、第１接続部材２３０は、カバー部材２０と異なる他の部材によって構成してもよい。
【００３５】
変形例３に係る医療用具３００では、図４Ｃに示すように、第１接続部材３３０は、カバー部材２０の開口部２１付近に設けられたクリップ３３１を含み、第２接続部材３４０は、クリップ３３１が挟持可能な凸部３４１を含む。このように、クリップ３３１によって凸部３４１を挟持することによって、第１接続部材３３０と第２接続部材３４０とを接続してもよい。
【００３６】
変形例４に係る医療用具４００では、図４Ｄに示すように、第１接続部材４３０および第２接続部材４４０は、磁力による吸着力によって吸着する一対の吸着部材４３１、４４１（磁石等）を含む。このように、一対の吸着部材４３１、４４１同士を吸着させることによって、第１接続部材４３０と第２接続部材４４０とを接続してもよい。
【００３７】
変形例５に係る医療用具５００では、図４Ｅに示すように、カバー部材５２０は、開口部５２１付近に、使用前においてカバー部材５２０の折り畳まれた部分（べローズ状の部分）に挿入される挿入部５２１、５２２を備える。そのため、清潔野の作業者は、例えば、カバー部材５２０の折り畳まれた部分（べローズ状の部分）同士の間の空間５２３に手を挿入して、カバー部材５２０越しに、カバー部材５２０の開口部５２１付近を把持し、第１接続部材３０を第２接続部材４０に接続することができる。
【００３８】
以上、実施形態を通じて本発明に係る医療用具を説明したが、本発明は実施形態および変形例において説明した構成のみに限定されることはなく、特許請求の範囲の記載に基づいて適宜変更することが可能である。
【００３９】
（他の使用例）
例えば、前述した実施形態および各変形例では、清潔野の作業者が、駆動装置Ｄ２の取出しからカバー部材２０への挿入までの作業を行う場合を説明したが、不潔野の作業者が、駆動装置Ｄ２の取出しからカバー部材２０への挿入までの作業を行ってもよい。この場合は、図５に示すように、不潔野の作業者は、例えば、減菌または滅菌処理が施された袋Ｐ越しに、駆動装置Ｄ２の取出しからカバー部材２０への挿入までの作業を行うことができる。
【００４０】
また、上記実施形態では、保管部がラックである場合を説明したが、保管部はラックでなくてもよい。例えば保管部は、駆動装置を載置する机等であってもよい。
【００４１】
また、実施形態および各変形例で示した第１接続部材および第２接続部材は、任意に組み合わせて一つの医療器具に備えさせることができる。
【符号の説明】
【００４２】
１０、１００、２００、３００、４００、５００  医療用具、
２０、５２０  カバー部材、
２１、５２１  開口部、
３０、１３０、２３０、３３０、４３０  第１接続部材、
３１    孔部、
４０、１４０、２４０、３４０、４４０  第２接続部材、
４１    フック、
１３１  凸部、
１４１  孔部、
２３１  環状部材、
２４１  フック、
３３１  クリップ、
３４１  凸部、
４３１、４４１  一対の吸着部材、
Ｄ１    画像診断用カテーテル
Ｄ２    駆動装置、
Ｄ３    保管部。
【図１Ａ】
2019176989.tif 000003
【図１Ｂ】
2019176989.tif 000004
【図２Ａ】
2019176989.tif 000005
【図２Ｂ】
2019176989.tif 000006
【図２Ｃ】
2019176989.tif 000007
【図３】
2019176989.tif 000008
【図４Ａ】
2019176989.tif 000009
【図４Ｂ】
2019176989.tif 000010
【図４Ｃ】
2019176989.tif 000011
【図４Ｄ】
2019176989.tif 000012
【図４Ｅ】
2019176989.tif 000013
【図５】
2019176989.tif 000014